(57)【要約】【課題】ユーザーの望む商品を簡易に発注することができる商品発注システムを提供する。【解決手段】商品発注システム２４は、画像を形成する画像形成装置１１、およびメガネ型ウェアラブル端末４１を含む。メガネ型ウェアラブル端末４１は、判断部５２と、第二の認証部５３と、表示制御部５４と、検知部５５とを備える。第二の認証部５３は、判断部５２により用紙の画像に識別マークがあると判断されれば、識別マークに盛り込まれたユーザーの情報に基づいて、メガネ型ウェアラブル端末４１を装着しているユーザーを認証する。表示制御部５４は、画像を表示すると共に、第二の認証部によりユーザーが認証されれば、商品発注カードに印字された機能ボタンを、押下により機能が可能となるようスマートグラス４１越しに表示する。検知部５５は、表示制御部５４により表示された発注ボタンに対して、押下に対応する動作の有無を検知する。【選択図】図２
2018142171.tif 000002
【特許請求の範囲】
【請求項１】
画像を形成する画像形成装置、前記画像形成装置と通信可能な外部装置、および前記画像形成装置と通信可能であり、ユーザーの眼により物体を視認可能であるレンズを備える電子機器を含む商品発注システムであって、
前記外部装置は、
商品の情報に関するデータおよび／またはそのデータを商品発注カードに印刷する印刷用データを記憶する外部装置記憶部と、
前記画像形成装置と通信する外部装置通信部とを備え、
前記画像形成装置は、
前記画像形成装置を操作するユーザーを認証する第一の認証部と、
画像を形成する画像形成部と、
前記外部装置、および前記電子機器のそれぞれと通信する画像形成装置通信部と、
商品を発注する際に用いられる商品発注カードの印刷の要求を受付ける第一の受付部と、
前記第一の受付部により前記商品発注カードの印刷の要求を受付ければ、前記第一の認証部により認証された前記ユーザーの情報、および前記第一の受付部により受付けられた前記商品発注カードに対応する情報を盛り込んだ識別マークを生成する識別マーク生成部と、
前記識別マーク生成部により前記識別マークが生成されれば、前記識別マークと、商品を発注するための機能を示す機能ボタンと、前記第一の受付部により受付けられた前記商品発注カードの画像と、前記印刷用データとを前記画像形成部により形成して用紙に印刷するよう制御する画像形成制御部と、
前記電子機器からの商品の発注を伴う操作を受付ける第二の受付部と、
前記第二の受付部により受付けられた操作によって前記商品の発注のデータを前記外部装置に送信するよう制御する第一の送信制御部とを備え、
前記電子機器は、
用紙の画像を読取る読取部と、
前記読取部により読取られた前記用紙の画像に前記識別マークがあるか否かを判断する判断部と、
前記判断部により前記用紙の画像に前記識別マークがあると判断されれば、前記識別マークに盛り込まれた前記ユーザーの情報に基づいて、前記電子機器を操作しているユーザーを認証する第二の認証部と、
画像を表示すると共に、前記第二の認証部により前記ユーザーが認証されれば、前記商品発注カードに印字された前記機能ボタンを、押下により前記機能が可能となるよう前記電子機器越しに表示する表示制御部と、
前記表示制御部により表示された前記機能ボタンに対して、押下に対応する動作の有無を検知する検知部と、
前記検知部により前記押下に対応する動作が検知されれば、前記商品の発注を受付ける第三の受付部と、
前記第三の受付部により前記商品の発注を受付ければ、前記商品の発注のデータを前記画像形成装置に送信するよう制御する第二の送信制御部とを備える、商品発注システム。
【請求項２】
前記機能ボタンは、商品の発注機能、数量変更機能、ショップ選択機能、希望価格入力機能を有する、請求項１に記載の商品発注システム。
【請求項３】
前記表示制御部は、所定の前記機能ボタンを押下したときは、前記電子機器越しにユーザーが複数のキーの画像が視認できるよう表示し、
前記第二の認証部は、前記キーに対する視線認識による前記キーの入力を受付ける、請求項１または請求項２に記載の商品発注システム。
【請求項４】
前記電子機器は、前記表示制御部により前記商品発注カードに記載された前記商品と異なる商品に関連する情報を前記ユーザーに視認可能に表示するよう制御して、前記商品発注カードに記載された前記商品と異なる商品の発注を受付ける、請求項１〜請求項３のいずれか１項に記載の商品発注システム。
【請求項５】
押下によりハードキーの物理的な位置が変動するキーボードをさらに備え、
前記表示制御部は、前記ハードキーの位置に相当する領域に複数のキーを表示するよう制御し、
前記検知部は、前記キーの押下による凹みを検知すれば、前記押下に対応する動作を検知する、請求項１〜請求項４のいずれか１項に記載の商品発注システム。
【請求項６】
前記表示制御部は、前記第二の認証部により前記ユーザーが認証されなければ、前記機能ボタンをグレーアウトして表示するよう制御する、請求項１〜請求項５のいずれか１項に記載の商品発注システム。
【請求項７】
前記画像形成装置が、前記外部装置を含む、請求項１〜請求項６のいずれか１項に記載の商品発注システム。
【請求項８】
商品を発注する商品発注方法であって、
画像を形成する画像形成部を備える画像形成装置を操作するユーザーを認証し、
前記画像形成装置と通信可能な外部装置、およびユーザーの眼により物体を視認可能であるレンズを備え、用紙の画像を読取り、画像を表示するよう制御する電子機器のそれぞれと通信し、
商品を発注する際に用いられる商品発注カードの印刷の要求を受付け、
前記商品発注カードの印刷の要求を受付ければ、認証された前記ユーザーの情報、および受付けられた前記商品発注カードに対応する情報を盛り込んだ識別マークを生成し、
前記識別マークが生成されれば、前記識別マークと、商品を発注するための機能を示す機能ボタンと、受付けられた前記商品発注カードの画像と、前記印刷用データとを前記画像形成部により形成して用紙に印刷するよう制御し、
前記電子機器からの商品の発注を伴う操作を受付け、
受付けられた操作によって前記商品の発注のデータを前記外部装置に送信するよう制御し、
前記電子機器により読取られた前記用紙の画像に前記識別マークがあるか否かを判断し、
前記用紙の画像に前記識別マークがあると判断されれば、前記識別マークに盛り込まれた前記ユーザーの情報に基づいて、前記電子機器を操作しているユーザーを認証し、
前記ユーザーが認証されれば、前記商品発注カードに印字された前記機能ボタンを、押下により前記機能が可能となるよう前記電子機器越しに表示させ、
表示された前記機能ボタンに対して、押下に対応する動作の有無を検知し、
前記押下に対応する動作が検知されれば、前記商品の発注を受付け、
前記商品の発注を受付ければ、前記商品の発注のデータを前記画像形成装置に送信する、商品発注方法。
【請求項９】
画像を形成する画像形成装置であって、
前記画像形成装置と通信可能な外部装置、および前記画像形成装置と通信可能であり、ユーザーの眼により物体を視認可能であるレンズを備える電子機器を含む商品発注システムに用いられ、
前記外部装置は、
商品の情報に関するデータおよび／または、そのデータを商品発注カードに印刷する印刷用データを記憶する外部装置記憶部と、
前記画像形成装置と通信する外部装置通信部とを備え、
前記画像形成装置は、
前記画像形成装置を操作するユーザーを認証する第一の認証部と、
画像を形成する画像形成部と、
前記外部装置、および前記電子機器のそれぞれと通信する画像形成装置通信部と、
商品を発注する際に用いられる商品発注カードの印刷の要求を受付ける第一の受付部と、
前記第一の受付部により前記商品発注カードの印刷の要求を受付ければ、前記第一の認証部により認証された前記ユーザーの情報、および前記第一の受付部により受付けられた前記商品発注カードに対応する情報を盛り込んだ識別マークを生成する識別マーク生成部と、
前記識別マーク生成部により前記識別マークが生成されれば、前記識別マークと、商品を発注するための機能を示す機能ボタンと、前記第一の受付部により受付けられた前記商品発注カードの画像と、前記印刷用データとを前記画像形成部により形成して用紙に印刷するよう制御する画像形成制御部と、
前記電子機器からの商品の発注を伴う操作を受付ける第二の受付部と、
前記第二の受付部により受付けられた操作によって前記商品の発注のデータを前記外部装置に送信するよう制御する第一の送信制御部とを備え、
前記電子機器は、
用紙の画像を読取る読取部と、
前記読取部により読取られた前記用紙の画像に前記識別マークがあるか否かを判断する判断部と、
前記判断部により前記用紙の画像に前記識別マークがあると判断されれば、前記識別マークに盛り込まれた前記ユーザーの情報に基づいて、前記電子機器を操作しているユーザーを認証する第二の認証部と、
画像を表示すると共に、前記第二の認証部により前記ユーザーが認証されれば、前記商品発注カードに印字された前記機能ボタンを、押下により前記機能が可能となるよう前記電子機器越しに表示する表示制御部と、
前記第二の表示制御部により表示された前記機能ボタンに対して、押下に対応する動作の有無を検知する検知部と、
前記検知部により前記押下に対応する動作が検知されれば、前記商品の発注を受付ける第三の受付部と、
前記第三の受付部により前記商品の発注を受付ければ、前記商品の発注のデータを前記画像形成装置に送信するよう制御する第二の送信制御部とを備える、画像形成装置。
【請求項１０】
画像を形成する画像形成部を含む画像形成装置と通信可能であり、ユーザーの眼により物体を視認可能であるレンズを備える電子機器であって、
前記画像形成装置を含み、商品を発注する商品発注システムに用いられ、
前記画像形成装置は、
前記画像形成装置を操作するユーザーを認証する第一の認証部と、
画像を形成する画像形成部と、
前記電子機器のそれぞれと通信する画像形成装置通信部と、
商品を発注する際に用いられる商品発注カードの印刷の要求を受付ける第一の受付部と、
前記第一の受付部により前記商品発注カードの印刷の要求を受付ければ、前記第一の認証部により認証された前記ユーザーの情報、および前記第一の受付部により受付けられた前記商品発注カードに対応する情報を盛り込んだ識別マークを生成する識別マーク生成部と、
前記識別マーク生成部により前記識別マークが生成されれば、前記識別マークと、商品を発注するための機能を示す機能ボタンと、前記第一の受付部により受付けられた前記商品発注カードの画像と、前記印刷用データとを前記画像形成部により形成して用紙に印刷するよう制御する画像形成制御部と、
前記電子機器からの商品の発注を伴う操作を受付ける第二の受付部と、
前記第二の受付部により受付けられた操作によって前記商品の発注のデータを外部装置に送信するよう制御する第一の送信制御部とを備え、
前記電子機器は、
用紙の画像を読取る読取部と、
前記読取部により読取られた前記用紙の画像に前記識別マークがあるか否かを判断する判断部と、
前記判断部により前記用紙の画像に前記識別マークがあると判断されれば、前記識別マークに盛り込まれた前記ユーザーの情報に基づいて、前記電子機器を操作しているユーザーを認証する第二の認証部と、
画像を表示すると共に、前記第二の認証部により前記ユーザーが認証されれば、前記商品発注カードに印字された前記機能ボタンを、押下により前記機能が可能となるよう前記電子機器越しに表示する表示制御部と、
前記表示制御部により表示された前記機能ボタンに対して、押下に対応する動作の有無を検知する検知部と、
前記検知部により前記押下に対応する動作が検知されれば、前記商品の発注を受付ける第三の受付部と、
前記第三の受付部により前記商品の発注を受付ければ、前記商品の発注のデータを前記画像形成装置に送信するよう制御する第二の送信制御部とを備える、電子機器。
【発明の詳細な説明】
【技術分野】
【０００１】
この発明は、商品発注システム、商品発注方法、画像形成装置、および電子機器に関するものである。
【背景技術】
【０００２】
データを表示する表示装置に関する技術が、特開２０１４−７１４９９号公報（特許文献１）に開示されている。
【０００３】
特許文献１に開示の表示装置は、装着されることによりユーザーの両目のそれぞれに対応した画像を表示することで、オブジェクトを３次元表示する表示部と、前記オブジェクトを操作する現実の物体を検出する検出部と、前記現実の物体の動きに応じて、前記オブジェクトを変化させるとともに、前記オブジェクトに対応する商品を発注するための発注データを更新する制御部とを備えることとしている。
【先行技術文献】
【特許文献】
【０００４】
【特許文献１】特開２０１４−７１４９９号公報
【発明の概要】
【発明が解決しようとする課題】
【０００５】
特許文献１に開示の表示装置では、オブジェクトを３次元表示して現実の物体の動きに応じてオブジェクトを変化させるのみであり、ユーザーの望む商品を簡易に発注できるものではない。
【０００６】
この発明の目的は、ユーザーの望む商品を簡易に発注することができる商品発注システムを、商品発注方法、画像形成装置、および電子機器を提供することである。
【課題を解決するための手段】
【０００７】
この発明の一の局面においては、商品発注システムは、画像を形成する画像形成装置、画像形成装置と通信可能な外部装置、および画像形成装置と通信可能であり、ユーザーの眼により物体を視認可能であるレンズを備える電子機器を含む。外部装置は、外部装置記憶部と、外部装置通信部とを備える。外部装置記憶部は、商品の情報に関するデータおよび／または、そのデータを商品発注カードに印刷する印刷用データを記憶する。外部装置通信部は、画像形成装置と通信する。画像形成装置は、第一の認証部と、画像形成部と、画像形成装置通信部と、第一の受付部と、識別マーク生成部と、画像形成制御部と、第二の受付部と、第一の送信制御部とを備える。第一の認証部は、画像形成装置を操作するユーザーを認証する。画像形成部は、画像を形成する。画像形成装置通信部は、外部装置、および電子機器のそれぞれと通信する。第一の受付部は、商品を発注する際に用いられる商品発注カードの印刷の要求を受付ける。識別マーク生成部は、第一の受付部により商品発注カードの印刷の要求を受付ければ、第一の認証部により認証されたユーザーの情報、および第一の受付部により受付けられた商品発注カードに対応する情報を盛り込んだ識別マークを生成する。画像形成制御部は、識別マーク生成部により識別マークが生成されれば、識別マークと、商品を発注するための機能を示す機能ボタンと、第一の受付部により受付けられた商品発注カードの画像と、印刷用データとを画像形成部により形成して用紙に印刷するよう制御する。第二の受付部は、電子機器からの商品の発注を伴う操作を受付ける。第一の送信制御部は、第二の受付部により受付けられた操作によって商品の発注のデータを外部装置に送信するよう制御する。電子機器は、読取部と、判断部と、第二の認証部と、表示制御部と、検知部と、第三の受付部と、第二の送信制御部とを備える。読取部は、用紙の画像を読取る。判断部は、読取部により読取られた用紙の画像に識別マークがあるか否かを判断する。第二の認証部は、判断部により用紙の画像に識別マークがあると判断されれば、識別マークに盛り込まれたユーザーの情報に基づいて、電子機器を操作しているユーザーを認証する。表示制御部は、画像を表示すると共に、第二の認証部によりユーザーが認証されれば、商品発注カードに印字された機能ボタンを、押下により機能が可能となるよう電子機器越しに表示する。検知部は、表示制御部により表示された機能ボタンに対して、押下に対応する動作の有無を検知する。第三の受付部は、検知部により押下に対応する動作が検知されれば、商品の発注を受付ける。第二の送信制御部は、第三の受付部により商品の発注を受付ければ、商品の発注のデータを画像形成装置に送信するよう制御する。
【０００８】
この発明の他の局面においては、商品発注方法は、商品を発注する商品発注方法である。商品発注方法は、画像を形成する画像形成部を備える画像形成装置を操作するユーザーを認証する。画像形成装置と通信可能な外部装置、およびユーザーの眼により物体を視認可能であるレンズを備え、用紙の画像を読取り、画像を表示するよう制御する電子機器のそれぞれと通信する。商品を発注する際に用いられる商品発注カードの印刷の要求を受付ける。商品発注カードの印刷の要求を受付ければ、認証されたユーザーの情報、および受付けられた商品発注カードに対応する情報を盛り込んだ識別マークを生成する。識別マークが生成されれば、識別マークと、商品を発注するための機能を示す機能ボタンと、受付けられた商品発注カードの画像と、印刷用データとを画像形成部により形成して用紙に印刷するよう制御する。電子機器からの商品の発注を伴う操作を受付ける。受付けられた操作によって商品の発注のデータを外部装置に送信するよう制御する。電子機器により読取られた用紙の画像に識別マークがあるか否かを判断する。用紙の画像に識別マークがあると判断されれば、識別マークに盛り込まれたユーザーの情報に基づいて、電子機器を操作しているユーザーを認証する。ユーザーが認証されれば、商品発注カードに印字された機能ボタンを、押下により機能が可能となるよう電子機器越しに表示する。表示された機能ボタンに対して、押下に対応する動作の有無を検知する。押下に対応する動作が検知されれば、商品の発注を受付ける。商品の発注を受付ければ、商品の発注のデータを画像形成装置に送信する。
【０００９】
この発明のさらに他の局面においては、画像形成装置は、画像を形成する。画像形成装置は、画像形成装置と通信可能な外部装置、および画像形成装置と通信可能であり、ユーザーの眼により物体を視認可能であるレンズを備える電子機器を含む商品発注システムに用いられる。外部装置は、外部装置記憶部と、外部装置通信部とを備える。外部装置記憶部は、商品の情報に関するデータおよび／または、そのデータを商品発注カードに印刷する印刷用データを記憶する。外部装置通信部は、画像形成装置と通信する。画像形成装置は、第一の認証部と、画像形成部と、画像形成装置通信部と、第一の受付部と、識別マーク生成部と、画像形成制御部と、第二の受付部と、第一の送信制御部とを備える。第一の認証部は、画像形成装置を操作するユーザーを認証する。画像形成部は、画像を形成する。画像形成装置通信部は、外部装置、および電子機器のそれぞれと通信する。第一の受付部は、商品を発注する際に用いられる商品発注カードの印刷の要求を受付ける。識別マーク生成部は、第一の受付部により商品発注カードの印刷の要求を受付ければ、第一の認証部により認証されたユーザーの情報、および第一の受付部により受付けられた商品発注カードに対応する情報を盛り込んだ識別マークを生成する。画像形成制御部は、識別マーク生成部により識別マークが生成されれば、識別マークと、商品を発注するための機能を示す機能ボタンと、第一の受付部により受付けられた商品発注カードの画像と、印刷用データとを画像形成部により形成して用紙に印刷するよう制御する。第二の受付部は、電子機器からの商品の発注を伴う操作を受付ける。第一の送信制御部は、第二の受付部により受付けられた操作によって商品の発注のデータを外部装置に送信するよう制御する。電子機器は、読取部と、判断部と、第二の認証部と、表示制御部と、検知部と、第三の受付部と、第二の送信制御部とを備える。読取部は、用紙の画像を読取る。判断部は、読取部により読取られた用紙の画像に識別マークがあるか否かを判断する。第二の認証部は、判断部により用紙の画像に識別マークがあると判断されれば、識別マークに盛り込まれたユーザーの情報に基づいて、電子機器を操作しているユーザーを認証する。表示制御部は、画像を表示すると共に、第二の認証部によりユーザーが認証されれば、商品発注カードに印字された機能ボタンを、押下により機能が可能となるよう電子機器越しに表示する。検知部は、表示制御部により表示された機能ボタンに対して、押下に対応する動作の有無を検知する。第三の受付部は、検知部により押下に対応する動作が検知されれば、商品の発注を受付ける。第二の送信制御部は、第三の受付部により商品の発注を受付ければ、商品の発注のデータを画像形成装置に送信するよう制御する。
【００１０】
この発明のさらに他の局面においては、電子機器は、画像を形成する画像形成部を含む画像形成装置と通信可能であり、ユーザーの眼により物体を視認可能であるレンズを備える。電子機器は、画像形成装置を含み、商品を発注する商品発注システムに用いられる。画像形成装置は、第一の認証部と、画像形成部と、画像形成装置通信部と、第一の受付部と、識別マーク生成部と、画像形成制御部と、第二の受付部と、第一の送信制御部とを備える。第一の認証部は、画像形成装置を操作するユーザーを認証する。画像形成部は、画像を形成する。画像形成装置通信部は、外部装置、および電子機器のそれぞれと通信する。第一の受付部は、商品を発注する際に用いられる商品発注カードの印刷の要求を受付ける。識別マーク生成部は、第一の受付部により商品発注カードの印刷の要求を受付ければ、第一の認証部により認証されたユーザーの情報、および第一の受付部により受付けられた商品発注カードに対応する情報を盛り込んだ識別マークを生成する。画像形成制御部は、識別マーク生成部により識別マークが生成されれば、識別マークと、商品を発注するための機能を示す機能ボタンと、第一の受付部により受付けられた商品発注カードの画像と、印刷用データとを画像形成部により形成して用紙に印刷するよう制御する。第二の受付部は、電子機器からの商品の発注を伴う操作を受付ける。第一の送信制御部は、第二の受付部により受付けられた操作によって商品の発注のデータを外部装置に送信するよう制御する。電子機器は、読取部と、判断部と、第二の認証部と、表示制御部と、検知部と、第三の受付部と、第二の送信制御部とを備える。読取部は、用紙の画像を読取る。判断部は、読取部により読取られた用紙の画像に識別マークがあるか否かを判断する。第二の認証部は、判断部により用紙の画像に識別マークがあると判断されれば、識別マークに盛り込まれたユーザーの情報に基づいて、電子機器を操作しているユーザーを認証する。表示制御部は、画像を表示すると共に、第二の認証部によりユーザーが認証されれば、商品発注カードに印字された機能ボタンを、押下により機能が可能となるよう電子機器越しに表示する。検知部は、表示制御部により表示された機能ボタンに対して、押下に対応する動作の有無を検知する。第三の受付部は、検知部により押下に対応する動作が検知されれば、商品の発注を受付ける。第二の送信制御部は、第三の受付部により商品の発注を受付ければ、商品の発注のデータを画像形成装置に送信するよう制御する。
【発明の効果】
【００１１】
このような商品発注システム、商品発注方法、画像形成装置、および電子機器によれば、ユーザーの望む商品を簡易に発注することができる。
【図面の簡単な説明】
【００１２】
【図１】この発明の一実施形態に係る画像形成装置を複合機に適用した場合の複合機を含む商品発注システムの構成を示すブロック図である。
【図２】複合機制御部の構成およびスマートグラス制御部の構成を示すブロック図である。
【図３】商品発注システムを用いて商品を発注する場合の複合機側の処理の流れの一部を示すフローチャートである。
【図４】商品発注カードの一例を示す図である。
【図５】商品発注システムを用いて商品を発注する場合のスマートグラス側の処理の流れを示すフローチャートである。
【図６】表示制御部により表示するよう制御されるポップアップキーの画像の一例を示す図である。
【図７】ポップアップ画像の一例を示す図である。
【図８】他の商品の発注を問い合わせる問い合わせ画像の一例を示す図である。
【図９】複数の商品発注カードが表示された状態を示す図である。
【発明を実施するための形態】
【００１３】
以下、この発明の実施の形態を説明する。図１は、この発明の一実施形態に係る商品発注システムに含まれる画像形成装置を複合機に適用した場合の複合機を含む商品発注システム２４の構成を示すブロック図である。
【００１４】
図１を参照して、商品発注システム２４は、複合機１１と、電子機器としてのメガネ型ウェアラブル端末であるスマートグラス４１と、外部装置としてのサーバー２６とを含む。複合機１１とサーバー２６とは、ネットワーク２３を経由して接続されている。複合機１１およびサーバー２６はそれぞれ、ネットワーク２３を介してインターネットに接続可能である。また、複合機１１とスマートグラス４１とは、無線通信、たとえば、近接（ＮＦＣ（Ｎｅａｒ  Ｆｉｅｌｄ  Ｃｏｍｍｕｎｉｃａｔｉｏｎ））通信が可能な構成である。なお、スマートグラス４１は、ＡＲ（Ａｕｇｍｅｎｔｅｄ  Ｒｅａｌｉｔｙ（拡張現実））グラスやＡＲメガネとも呼ばれるものである。
【００１５】
まず、複合機１１の構成について説明する。複合機１１は、複合機制御部１２と、操作部１３と、複合機読取部１４と、画像形成部１５と、給紙カセット１６と、複合機ハードディスク１７と、ネットワーク２３と接続するための複合機ネットワークインターフェース部１８と、複合機通信部１９とを備える。複合機制御部１２は、複合機１１全体の制御を行う。なお、複合機制御部１２は、ＣＰＵ（Ｃｅｎｔｒａｌ  Ｐｒｏｃｅｓｓｉｎｇ  Ｕｎｉｔ）等から構成されており、一時的にデータを記憶する主記憶メモリ２０を含む。操作部１３は、複合機１１側から発信される情報やユーザーの入力内容を表示するタッチパネル型式の表示画面２１を含む。操作部１３は、印刷部数や階調等の画像形成の条件といった画像形成に関するユーザーからの入力を受付ける。複合機読取部１４は、ＡＤＦまたは載置台上にセットされた原稿の画像を読取る。給紙カセット１６は、複数設けられており、それぞれ複数枚の用紙をその内部に収納することができる。画像形成部１５は、複合機読取部１４により読取られた原稿の画像データやネットワーク２３を介して送信された画像データを基に、給紙カセット１６等から搬送されてきた用紙に画像を形成する。複合機ハードディスク１７は、送信された画像データや入力された画像形成条件等、画像形成に関するデータを記憶する。具体的には、複合機ハードディスク１７には、商品発注システム２４において取り扱う商品のタイトルや商品画像といった商品情報のデータ、商品を発注した発注者、すなわち顧客となるユーザーのプロファイルデータ、および商品を発注する発注情報のデータ等が記憶されている。なお、関連する商品情報のデータ等は紐付けられて複合機ハードディスク１７に記憶されている。複合機通信部１９は、スマートグラス４１との無線による通信、すなわち、スマートグラス４１へ無線でデータを送信したり、スマートグラス４１から無線でデータを受信したりする。また、複合機１１は、複合機ネットワークインターフェース部１８およびサーバーネットワークインターフェース部２８を介して、サーバー２６と通信可能である。
【００１６】
次に、複合機１１に備えられる複合機制御部１２の構成について説明する。図２は、複合機制御部の構成およびスマートグラス制御部の構成を示すブロック図である。図２の上側において、複合機制御部１２の構成を示し、図２の下側で後述するスマートグラスの構成を示している。図２を参照して、複合機制御部１２は、第一の認証部３１と、第一の受付部３２と、識別マーク生成部３３と、画像形成制御部３４と、第二の受付部３５と、第一の送信制御部３６とを備える。第一の認証部３１は、複合機１１を操作するユーザーを認証する。第一の受付部３２は、商品を発注する際に用いられる商品発注カードの印刷の要求を受付ける。識別マーク生成部３３は、第一の受付部３２により商品発注カードの印刷の要求を受付ければ、第一の認証部３１により認証されたユーザーの情報、および第一の受付部３２により受付けられた商品発注カードに対応する情報を盛り込んだ識別マークを生成する。画像形成制御部３４は、識別マーク生成部３３により識別マークが生成されれば、識別マークと、商品を発注するための機能を示す機能ボタンと、第一の受付部３２により受付けられた商品発注カードの画像と、印刷用データとを画像形成部１５により形成して用紙に印刷するよう制御する。第二の受付部３５は、スマートグラス４１からの商品の発注を受付ける。第一の送信制御部３６は、第二の受付部３５により受付けられた操作によって商品の発注のデータをサーバー２６に送信するよう制御する。これらの構成については、後に詳述する。
【００１７】
次に、サーバー２６の構成について説明する。サーバー２６は、サーバー制御部２７と、ネットワーク２３と接続するためのサーバーネットワークインターフェース部２８と、サーバーハードディスク２９とを備える。サーバー制御部２７は、サーバー２６全体の制御を行う。サーバーハードディスク２９は、画像データや種々のデータを記憶する。すなわち、サーバーハードディスク２９は、いわゆるデータベースサーバーの一種であり、具体的には、たとえば、上記した複合機ハードディスク１７と同様に、商品発注システム２４において取り扱う商品情報のデータ、ユーザーのプロファイルデータ、および商品を発注する発注情報のデータ等、商品の情報に関するデータ、およびそのデータを商品発注カードに印刷する印刷用データを記憶する。また、サーバー２６は、複合機１１からの商品の発注のデータを受信することにより、商品の発注を確定させて商品を発注先に搬送する処理を開始する。なお、サーバーハードディスク２９は、商品の情報に関するデータ、またはそのデータを商品発注カードに印刷する印刷用データを記憶するようにしてもよい。この場合、サーバーハードディスク２９に記憶されていないいずれかのデータは、ネットワーク２３等を介して他の装置から取得する。
【００１８】
次に、スマートグラス４１の構成について説明する。スマートグラス４１は、スマートグラス制御部４２と、スマートグラス通信部４３と、スマートグラス記憶部４４と、スマートグラス読取部４５と、情報をレンズ面に表示する光学透過型の左右一対のレンズ４６と、ユーザーの耳にかけてスマートグラス４１をユーザーの頭部において保持する左右一対のテンプル部（図示せず）とを備える。スマートグラス制御部４２は、スマートグラス４１全体の制御を行う。スマートグラス通信部４３は、複合機１１との無線通信を行う。スマートグラス記憶部４４は、画像データや種々のデータを記憶する。レンズ４６は、光学透過型である。スマートグラス４１をかけたユーザーは、レンズ４６を通して物体を視認することができる。スマートグラス読取部４５は、レンズ４６を通してスマートグラス４１をかけたユーザーが見える側に位置する用紙や物体の画像を、カメラ機能等を利用して読取る。
【００１９】
次に、スマートグラス制御部４２の構成について説明する。再び図２を参照して、スマートグラス制御部４２は、判断部５２と、第二の認証部５３と、表示制御部５４と、検知部５５と、第三の受付部５６と、第二の送信制御部５７とを備える。判断部５２は、スマートグラス読取部４５により読取られた用紙の画像に識別マークがあるか否かを判断する。第二の認証部５３は、判断部５２により用紙の画像に識別マークがあると判断されれば、識別マークに盛り込まれたユーザーの情報に基づいて、スマートグラス４１を操作しているユーザーを認証する。表示制御部５４は、画像を表示すると共に、第二の認証部５３によりユーザーが認証されれば、商品発注カードに印字された機能ボタンを、押下により機能が可能となるようスマートグラス４１越しに表示する。検知部５５は、表示制御部５４により表示された機能ボタンに対して、押下に対応する動作の有無を検知する。第三の受付部５６は、検知部５５により押下に対応する動作が検知されれば、商品の発注を受付ける。第二の送信制御部５７は、第三の受付部５６により商品の発注を受付ければ、商品の発注のデータを複合機１１に送信するよう制御する。これらの構成について、後に詳述する。
【００２０】
次に、上記した商品発注システム２４を用いて、商品を発注する場合について説明する。図３は、商品発注システム２４を用いて、商品を発注する場合の複合機１１側の処理の流れの一部を示すフローチャートである。
【００２１】
図３を参照して、まず、複合機１１側での処理の流れについて説明する。複合機１１に備えられる第一の認証部３１は、複合機１１を操作するユーザーの認証を行う（図３において、ステップＳ１１、以下、「ステップ」を省略する）。この場合、たとえば、操作部１３を利用してユーザーから入力されるユーザーＩＤおよびパスワードと、複合機ハードディスク１７に記憶され、いわゆる登録されているユーザーのユーザーＩＤおよびパスワードとが一致するか否かで認証を行う。
【００２２】
次に、認証されれば、複合機１１に備えられる第一の受付部３２は、商品発注カードの印刷要求を受付けたか否かを判断する（Ｓ１２）。印刷要求の受付は、たとえば、操作部１３の表示画面２１を介してユーザーからの印刷の要求の入力を受付けることにより行う。
【００２３】
第一の受付部３２により商品発注カードの印刷要求を受付ければ（Ｓ１２において、ＹＥＳ）、識別マーク生成部３３は、第一の認証部３１により認証されたユーザーの情報、および第一の受付部３２により印刷の要求が受付けられた商品発注カードに対応する情報を盛り込んだ識別マークを生成する（Ｓ１３）。この場合、複合機ハードディスク１７に記憶されている登録されたユーザーの個人情報のデータに加え、ユーザーを後述するスマートグラス４１側で認証する際のパスワードのデータ、過去に発注した商品の履歴情報に関するデータ等を盛り込んで、識別マークを生成する。識別マークについては、ユーザーや第三者が見てもその内容が把握できないもの、たとえば、二次元コード等で構成されている。
【００２４】
識別マーク生成部３３により識別マークが生成されれば、画像形成制御部３４は、識別マーク生成部３３により生成された識別マークと、商品を発注するための機能を示す機能ボタンである発注ボタンと、第一の受付部３２により受付けられた商品発注カードの画像と、印刷用データとを画像形成部１５により形成して用紙に印刷するよう制御する（Ｓ１４）。すなわち、商品発注カードは、給紙カセット１６に収納されている用紙に画像を印刷して形成される。
【００２５】
図４は、商品発注カードの一例を示す図である。図４の上側で、印刷された状態を示し、図４の下側で、後述する発注ボタンの押下が可能となった際にレンズ４６越しに見える状態を示す。図４を参照して、商品発注カード６１には、「商品名：ＸＸＸ」といった商品名の表記６２と、商品の外観の画像６３と、識別マーク生成部３３で生成された二次元コードから構成される識別マーク６４と、「発注」と記されており、丸い外形形状の図形から構成されている発注ボタン６５とが印字されている。商品名の表記６２の下側に商品の外観の画像６３が示されている。商品の外観の画像６３の横に、縦方向に並ぶようにして識別マーク６４および発注ボタン６５が印字されている。複合機１１は、このように用紙に印刷された商品発注カード６１を出力する。
【００２６】
次に、スマートグラス４１側での処理の流れについて説明する。図５は、商品発注システム２４を用いて、商品を発注する場合のスマートグラス４１側の処理の流れを示すフローチャートである。
【００２７】
図５を参照して、ユーザーは、スマートグラス４１を頭部に装着して、出力された商品発注カード６１をレンズ４６越しに見る。そうすると、スマートグラス読取部４５は、商品発注カード６１の画像を読取る（Ｓ２１）。
【００２８】
判断部５２は、スマートグラス読取部４５により読取られた用紙の画像、この場合、商品発注カード６１の画像の中に、識別マーク６４があるか否かを判断する（Ｓ２２）。判断部５２により商品発注カード６１の画像の中に識別マーク６４があると判断されれば（Ｓ２２において、ＹＥＳ）、第二の認証部５３は、ユーザーの認証を行う（Ｓ２３）。すなわち、スマートグラス４１側でのユーザーの認証を行う。具体的には、以下のように行う。
【００２９】
図６は、表示制御部５４により表示するよう制御されるポップアップキーの画像の一例を示す図である。図６を参照して、表示制御部５４は、スマートグラス４１をかけたユーザーが、レンズ４６越しに図６に示すポップアップキー６８の画像を視認できるよう制御する。ポップアップキー６８は、０から９までの数値を示すキー６９ａ、６９ｂ、「取消」と表示されたキー６９ｃ、および「決定」と表示されたキー６９ｄから構成されている。ユーザーは、パスワードを視線認識で入力する。そして、視線認識により入力されたパスワードと、識別マーク６４から抽出したパスワードとを比較して、一致するのであれば、第二の認証部５３は、認証が成功したと判断する（Ｓ２３において、ＹＥＳ）。
【００３０】
第二の認証部５３によりユーザーが認証されれば、表示制御部５４は、商品発注カード６１に印字された機能ボタンである発注ボタン６５を、押下の動作により機能が可能となるよう、この場合、商品の発注が可能となるよう表示する（Ｓ２４）。
【００３１】
再び図４を参照して、出力された商品発注カード６１をレンズ４６越しに見ると、発注ボタン６６が、たとえば光り輝いて見える。商品発注カード６１のうちの押下が可能となった発注ボタン６６は、ハッチングで図示している。このような表示は、表示制御部５４による表示の制御により行われる。すなわち、スマートグラス４１をかけていない状態であれば、発注ボタン６６は光り輝いて見えない。ここで機能が可能になるとは、たとえば、発注ボタン６５、６６をレンズ４６越しに見た場合に、機能が可能となっていない状態との間で異ならせて表示し、発注ボタン６６の上における指での押下の動作を検知すれば、商品の発注を受付ける状態とすることをいう。すなわち、機能が可能になる前は、発注ボタン６５は、単に「発注」と印字された画像を示すものであり、その画像の上で指等で押下等のどのような動作をしようとも、商品の発注には至らないものである。
【００３２】
発注ボタン６６の押下が可能とされた後、検知部５５は、表示制御部５４により押下が可能とされた発注ボタン６６に対して、押下に対応する動作の有無を検知する（Ｓ２５）。すなわち、たとえば、所定期間として設定された５分間において、ユーザーの指による発注ボタン６６の押下の動作の有無を検知する。この場合、スマートグラス読取部４５による発注ボタン６６の近辺の画像の動きの読取りに基づいて検知する。
【００３３】
第三の受付部５６は、検知部５５により押下に対応する動作が検知されれば（Ｓ２５において、ＹＥＳ）、商品の発注を受付ける。
【００３４】
ここで、第三の受付部５６による商品の発注の受付に際し、以下の問い合わせを行う。まず、前回の発注の内容であるポップアップ画面を表示制御部５４により表示して（Ｓ２６）、前回の発注の内容と同じであるか否かを問い合わせる。
【００３５】
図７は、ポップアップ画像の一例を示す図である。図７を参照して、ポップアップ画像７１は、表示制御部５４による表示の制御により、ユーザーによってレンズ４６越しに視認可能である。ポップアップ画像７１には、「前回発注条件」との文字７２と、前回発注した際の詳細な情報７３と、数量を示す画像７４と、「発注」と示されており、視線認識により発注を確定させる発注確定画像７５ａと、「条件変更」と示されており、視線認識により発注する条件を変更する画面へ移行させる条件変更画像７５ｂとが表示されている。なお、価格については、前回購入した時との差額も表示されている。ユーザーは、要求に応じて、発注確定画像７５ａの視線認識等により、種々の設定を行う。そして、第三の受付部５６は、商品の発注を受付ける（Ｓ２７）。この場合の第三の受付部５６は、商品ＸＸＸの発注の受付である。
【００３６】
次に、第三の受付部５６は、他の商品の発注を問い合わせる。具体的には、以下の画像を表示する。図８は、他の商品の発注を問い合わせる問い合わせ画像の一例を示す図である。図８を参照して、問い合わせ画像７６は、「続けて他の登録商品を購入しますか」との問い合わせのメッセージ７７と、「続けて購入」と示されており、視線認識により他の登録商品の購入の画面へと移行させる選択キー７８ａと、「終了」と示されており、視線認識により商品の発注を終了させる選択キー７８ｂとが表示されている。このような問い合わせ画像７６の表示についても、表示制御部５４による制御により行われる。すなわち、表示制御部５４は、スマートグラス４１をかけたユーザーがレンズ４６越しに図８に示す問い合わせ画像７６を視認できるよう制御する。
【００３７】
ここで、選択キー７８ａへの視線認識により続けて他の登録商品を購入する場合について説明する。選択キー７８ａへの視線認識を検知すると、表示制御部５４は、図９に示す画面へ移行する。
【００３８】
図９は、複数の商品発注カードが表示された画像を示す図である。図９を参照して、複数の商品発注カード７９ａ、７９ｂ、７９ｃが予め定められた矢印Ｄ１で示す方向に順次流れていくようにして表示される。具体的には、商品名：ＶＶＶの商品の発注を受付可能な商品発注カード７９ａの画像、商品名：ＵＵＵの商品の発注を受付可能な商品発注カード７９ｂの画像、商品名：ＴＴＴの商品の発注を受付可能な商品発注カード７９ｃの画像、さらに他の商品発注カードが表示されている。このような商品発注カード７９ａ〜７９ｃは、たとえば、ユーザー情報に基づいて導出されるものである。ユーザーは、流れるようにして表示される商品発注カード７９ａ〜７９ｃから購入したい商品に対応する商品発注カード７９ａ〜７９ｃを視線認識により選択し、商品の発注を行う。商品の発注については、上記した図４等に示す通りである。なお、矢印Ｄ１と逆の方向で表示していってもよい。
【００３９】
他の商品の発注を受付けた場合には（Ｓ２８において、ＹＥＳ）、第三の受付部５６は、他の商品の発注を受付ける（Ｓ２９）。そして、第二の送信制御部５７は、第三の受付部５６により商品の発注を受付ければ、商品の発注の情報を複合機１１に送信するよう制御する（Ｓ３０）。
【００４０】
その後、複合機１１側において、第二の受付部３５は、スマートグラス４１からの商品の発注を受付ける。具体的には、スマートグラス４１側において第三の受付部５６により受付けられ、第二の送信制御部５７により送信された商品の発注の情報を、複合機１１側において複合機通信部１９により受信し、第二の受付部３５により受付ける。その後、第一の送信制御部３６は、第二の受付部３５により受付けられた商品の発注の情報をサーバー２６に送信するよう制御する。
【００４１】
サーバー２６側においては、該当する商品の発注の情報を受信することにより、商品の発注を確定させる。また、サーバーハードディスク２９に記憶された商品を発注したユーザーのユーザー情報、商品情報のデータの更新を行う。
【００４２】
このような商品発注システム２４によれば、ユーザーの望む商品に関する商品発注カード６１を複合機１１において印刷し、スマートグラス４１により商品を発注することができるため、より容易に商品を発注することができる。この場合、ユーザーを認証してから発注ボタン６６の押下を可能な状態としているため、認証されていないユーザーからの発注を防ぐことができ、発注ミスが生じるおそれをなくすことができる。したがって、このような商品発注システム２４によれば、ユーザーの望む商品を簡易に発注することができる。
【００４３】
すなわち、このような商品発注システム２４によれば、商品を発注するボタンをある一つのハードの構成に限定することなく、ユーザーの望む商品に合わせた発注ボタンを記載した商品発注カード６１を、複合機１１を用いて容易に作成することができる。そして、この商品発注カード６１を用いて、容易に商品を発注することができる。
【００４４】
また、この場合、表示制御部５４は、レンズ４６越しにユーザーが複数のキー６９ａ〜６９ｄの画像が視認できるよう表示し、第二の認証部５３は、キー６９ａ〜６９ｄに対する視線認識によるキー６９ａ〜６９ｄの入力を受付ける構成であるため、より容易に認証時の入力を行うことができる。
【００４５】
また、この場合、スマートグラス４１は、表示制御部５４により商品発注カード６１に記載された商品と異なる商品に関連する情報をユーザーに視認可能に表示するよう制御して、商品発注カード６１に記載された商品と異なる商品の発注を受付けるため、よりユーザーの他の商品の発注が容易になる。
【００４６】
すなわち、ユーザーは、簡易な方法で、気になる商品や望む商品の発注を行うことができる。この場合、商品を販売する販売者は、商品のプロモーションやキャンペーンとして、簡易な方法でユーザーである顧客の眼に触れさせることができる。また、ユーザーは、ショップや個数を容易に変えて発注したり、商品を検討したりすることができるため、ユーザーフレンドリーなシステムを提供することができる。
【００４７】
なお、上記の実施の形態において、押下によりハードキーの物理的な位置が変動するキーボードをさらに備える構成とする。すなわち、いわゆるスタンドアローンであるキーボードを準備する。そして、表示制御部５４は、ハードキーの位置に相当する領域に複数のキーを表示するよう制御する。検知部５５は、キーの押下による凹みを検知すれば、押下に対応する動作を検知する。こうすることにより、キーボードのキーを押下するユーザーの感触を維持しながら、商品の発注の受付等をリアルに行うことができる。
【００４８】
また、上記の実施の形態において、表示制御部５４は、第二の認証部５３によりユーザーが認証されなければ、発注ボタン６５をグレーアウトして表示するよう制御することにしてもよい。こうすることにより、ユーザーが認証されなかった場合において、発注ボタンに対して何らかの動作を行うといったことが低減される。
【００４９】
なお、上記の実施の形態において、商品発注システム２４は、サーバー２６を備える構成としたが、これに限らず、複合機１１がいわゆるサーバー２６の有する機能を兼ね備える構成としてもよい。すなわち、複合機１１に含まれる複合機ハードディスク１７に、商品発注システム２４において取り扱う商品情報のデータ、ユーザーのプロファイルデータ、および商品を発注する発注情報のデータ等が記憶されており、これを利用して、複合機１１において商品の発注を確定するようにする。こうすることにより、より商品発注システム２４の構成の簡素化を図ることができる。
【００５０】
再び図１および図２を参照して、すなわち、この発明の他の実施形態に係る商品発注システム８１は、画像を形成する画像形成装置としての複合機１１、およびメガネ型ウェアラブル端末としてのスマートグラス４１を含む。スマートグラス４１は、複合機１１と通信可能であり、ユーザーに装着可能であって、ユーザーに装着された際にユーザーの眼により物体を視認可能であるレンズ４６を備える。なお、商品発注システム８１と商品発注システム２４との相違は、ネットワーク２３およびサーバー２６の構成が商品発注システム８１にはない点である。すなわち、複合機１１が、サーバー２６を含む構成である。
【００５１】
複合機１１は、画像形成装置記憶部としての複合機ハードディスク１７と、第一の認証部３１と、画像形成部１５と、画像形成装置通信部としての複合機通信部１９と、第一の受付部３２と、識別マーク生成部３３と、画像形成制御部３４とを備える。複合機ハードディスク１７は、商品の情報に関するデータ、およびそのデータを商品発注カードに印刷する印刷用データを記憶する。第一の認証部３１は、複合機１１を操作するユーザーを認証する。画像形成部１５は、画像を形成する。複合機通信部１９は、スマートグラス４１と通信する。第一の受付部３２は、商品を発注する際に用いられる商品発注カードの印刷の要求を受付ける。識別マーク生成部３３は、第一の受付部３２により商品発注カードの印刷の要求を受付ければ、第一の認証部３１により認証されたユーザーの情報、および第一の受付部３２により受付けられた商品発注カードに対応する情報を盛り込んだ識別マークを生成する。画像形成制御部３４は、識別マーク生成部３３により識別マークが生成されれば、識別マークと、商品を発注するための機能を示す機能ボタンと、第一の受付部により受付けられた前記商品発注カードの画像と、印刷用データとを画像形成部により形成して用紙に印刷するよう制御する。第二の受付部３５は、スマートグラス４１からの商品の発注を受付ける。なお、複合機ハードディスク１７は、商品の情報に関するデータ、またはそのデータを商品発注カードに印刷する印刷用データを記憶するようにしてもよい。この場合、複合機ハードディスク１７に記憶されていないいずれかのデータは、ネットワーク２３等を介して他の装置から取得する。
【００５２】
スマートグラス４１は、読取部としてのスマートグラス読取部４５と、判断部５２と、第二の認証部５３と、表示制御部５４と、検知部５５と、第三の受付部５６と、第二の送信制御部５７とを備える。スマートグラス読取部４５は、用紙の画像を読取る。判断部５２は、スマートグラス読取部４５により読取られた用紙の画像に識別マークがあるか否かを判断する。第二の認証部５３は、判断部５２により用紙の画像に識別マークがあると判断されれば、識別マークに盛り込まれたユーザーの情報に基づいて、スマートグラス４１を装着しているユーザーを認証する。表示制御部５４は、画像を表示すると共に、第二の認証部によりユーザーが認証されれば、商品発注カードに印字された機能ボタンを、押下により機能が可能となるよう電子機器越しに表示する。検知部５５は、表示制御部５４により表示された発注ボタンに対して、押下に対応する動作の有無を検知する。第三の受付部５６は、検知部５５により押下に対応する動作が検知されれば、商品の発注を受付ける。第二の送信制御部５７は、第三の受付部５６により商品の発注を受付ければ、商品の発注のデータを複合機１１に送信するよう制御する。
【００５３】
このような構成を採用することにより、より商品発注システム８１の構成の簡素化を図ることができる。
【００５４】
なお、機能ボタンは、商品の発注機能、数量変更機能、ショップ選択機能、希望価格入力機能を有するようにしてもよい。
【００５５】
また、この発明に係る電子機器は、以下の構成を備える。すなわち、電子機器は、画像を形成する画像形成部を含む画像形成装置と通信可能であり、ユーザーの眼により物体を視認可能であるレンズを備える。電子機器は、画像形成装置を含み、商品を発注する商品発注システムに用いられる。画像形成装置は、第一の認証部と、画像形成部と、画像形成装置通信部と、第一の受付部と、識別マーク生成部と、画像形成制御部と、第二の受付部と、第一の送信制御部とを備える。第一の認証部は、画像形成装置を操作するユーザーを認証する。画像形成部は、画像を形成する。画像形成装置通信部は、外部装置、および電子機器のそれぞれと通信する。第一の受付部は、商品を発注する際に用いられる商品発注カードの印刷の要求を受付ける。識別マーク生成部は、第一の受付部により商品発注カードの印刷の要求を受付ければ、第一の認証部により認証されたユーザーの情報、および第一の受付部により受付けられた商品発注カードに対応する情報を盛り込んだ識別マークを生成する。画像形成制御部は、識別マーク生成部により識別マークが生成されれば、識別マークと、商品を発注するための機能を示す機能ボタンと、第一の受付部により受付けられた商品発注カードの画像と、印刷用データとを画像形成部により形成して用紙に印刷するよう制御する。第二の受付部は、電子機器からの商品の発注を伴う操作を受付ける。第一の送信制御部は、第二の受付部により受付けられた操作によって商品の発注のデータを外部装置に送信するよう制御する。電子機器は、読取部と、判断部と、第二の認証部と、表示制御部と、検知部と、第三の受付部と、第二の送信制御部とを備える。読取部は、用紙の画像を読取る。判断部は、読取部により読取られた用紙の画像に識別マークがあるか否かを判断する。第二の認証部は、判断部により用紙の画像に識別マークがあると判断されれば、識別マークに盛り込まれたユーザーの情報に基づいて、電子機器を操作しているユーザーを認証する。表示制御部は、画像を表示すると共に、第二の認証部によりユーザーが認証されれば、商品発注カードに印字された機能ボタンを、押下により機能が可能となるよう電子機器越しに表示する。検知部は、表示制御部により表示された機能ボタンに対して、押下に対応する動作の有無を検知する。第三の受付部は、検知部により押下に対応する動作が検知されれば、商品の発注を受付ける。第二の送信制御部は、第三の受付部により商品の発注を受付ければ、商品の発注のデータを画像形成装置に送信するよう制御する。このように構成してもよい。
【００５６】
また、この発明に係る商品発注方法は、以下の構成を備える。すなわち、商品発注方法は、商品を発注する商品発注方法である。商品発注方法は、画像を形成する画像形成部を備える画像形成装置を操作するユーザーを認証する。画像形成装置と通信可能な外部装置、およびユーザーの眼により物体を視認可能であるレンズを備え、用紙の画像を読取り、画像を表示するよう制御する電子機器のそれぞれと通信する。商品を発注する際に用いられる商品発注カードの印刷の要求を受付ける。商品発注カードの印刷の要求を受付ければ、認証されたユーザーの情報、および受付けられた商品発注カードに対応する情報を盛り込んだ識別マークを生成する。識別マークが生成されれば、識別マークと、商品を発注するための機能を示す機能ボタンと、受付けられた商品発注カードの画像と、印刷用データとを画像形成部により形成して用紙に印刷するよう制御する。電子機器からの商品の発注を伴う操作を受付ける。受付けられた操作によって商品の発注のデータを外部装置に送信するよう制御する。電子機器により読取られた用紙の画像に識別マークがあるか否かを判断する。用紙の画像に識別マークがあると判断されれば、識別マークに盛り込まれたユーザーの情報に基づいて、電子機器を操作しているユーザーを認証する。ユーザーが認証されれば、商品発注カードに印字された機能ボタンを、押下により機能が可能となるよう電子機器越しに表示する。表示された機能ボタンに対して、押下に対応する動作の有無を検知する。押下に対応する動作が検知されれば、商品の発注を受付ける。商品の発注を受付ければ、商品の発注のデータを画像形成装置に送信する。このように構成してもよい。
【００５７】
今回開示された実施の形態はすべての点で例示であって、どのような面からも制限的なものではないと理解されるべきである。本発明の範囲は上記した説明ではなく、特許請求の範囲によって規定され、特許請求の範囲と均等の意味および範囲内でのすべての変更が含まれることが意図される。
【産業上の利用可能性】
【００５８】
この発明に係る商品発注システム、商品発注方法、画像形成装置、および電子機器は、ユーザーの望む商品の簡易な発注が要求される場合に、特に有効に利用される。
【符号の説明】
【００５９】
１１  複合機、１２  複合機制御部、１３  操作部、１４  複合機読取部、１５  画像形成部、１６  給紙カセット、１７  複合機ハードディスク、１８  複合機ネットワークインターフェース部、１９  複合機通信部、２０  主記憶メモリ、２１  表示画面、２３  ネットワーク、２４，８１  商品発注システム、２６  サーバー、２７  サーバー制御部、２８  サーバーネットワークインターフェース部、２９  サーバーハードディスク、３１  第一の認証部、３２  第一の受付部、３３  識別マーク生成部、３４  画像形成制御部、３５  第二の受付部、３６  第一の送信制御部、４１  スマートグラス、４２  スマートグラス制御部、４３  スマートグラス通信部、４４  スマートグラス記憶部、４５  スマートグラス読取部、４６  レンズ、５２  判断部、５３  第二の認証部、５４  表示制御部、５５  検知部、５６  第三の受付部、５７  第二の送信制御部、６１，７９ａ，７９ｂ，７９ｃ  商品発注カード、６２  表記、６３，７４  画像、６４  識別マーク、６５，６６  発注ボタン、６８  ポップアップキー、６９ａ，６９ｂ，６９ｃ，６９ｄ  キー、７１  ポップアップ画像、７２  文字、７３  情報、７５ａ  発注確定画像、７５ｂ  条件変更画像、７６  問い合わせ画像、７７  メッセージ、７８ａ，７８ｂ  選択キー。
【図１】
2018142171.tif 000003
【図２】
2018142171.tif 000004
【図３】
2018142171.tif 000005
【図４】
2018142171.tif 000006
【図５】
2018142171.tif 000007
【図６】
2018142171.tif 000008
【図７】
2018142171.tif 000009
【図８】
2018142171.tif 000010
【図９】
2018142171.tif 000011